(57)【特許請求の範囲】
【請求項１】
第１通信装置と、第２通信装置とを備える通信システムであって、
前記第１通信装置は、
前記第２通信装置にデータを送信し、かつ、前記第２通信装置から該データの再送要求情報を受信する第１送受信部と、
前記第１送受信部が前記再送要求情報を受信した場合に、該再送要求情報に基づいて前記第２通信装置に送信する再送データを制御する第１制御部と、
を備え、
前記第２通信装置は、
前記第１通信装置から前記データを受信し、該データの再送を要求する再送要求情報を送信する第２送受信部と、
前記第２送受信部が受信した前記データの誤りを検出し、誤りがある場合には、前記再送要求情報を生成する第２制御部と、
を備え、
前記第２制御部は、前記再送要求情報を生成する際に、過去受信したデータ及び誤りを検出した前記データに関する情報に基づく分散値を算出し、該分散値に基づいて前記再送要求情報のビット長を制御すると共に、過去受信したデータの受信回線品質から得られた情報及びデータの誤りが検出されたときの受信回線品質を再送要求情報に含め、
前記第１通信装置の前記第１制御部は、前記再送要求情報を受信した際に、前記データを再送する際の送信電力として前記再送要求情報の受信回線品質値に応じて規定の送信電力よりも低い送信電力を決定することを特徴とする通信システム。
【請求項２】
前記第１制御部は、前記再送要求情報の受信回線品質値が所定の閾値を超過しかつ当該受信回線品質が高いほど、送信電力値を小さくするように制御する請求項１に記載の通信システム。
【発明の詳細な説明】
【技術分野】
【０００１】
本発明は、通信装置、通信システム、及び通信制御方法に関する。
【背景技術】
【０００２】
従来、ＬＴＥ／ＷｉＭＡＸ／ＸＧＰシステム等においては、パケット合成型の再送制御（Ｈ−ＡＲＱ）方式が用いられており、再送の必要性の有無は受信側装置にて受信データの誤りの有無をＣＲＣ（Ｃｙｃｌｉｃ Ｒｅｄｕｎｄａｎｃｙ Ｃｈｅｃｋ）により判断し、データの誤りがある場合にのみ、受信側装置は送信側装置にデータの再送を要求する再送制御を行っている。また、パケット合成型のＨ−ＡＲＱ方式においては、受信側装置にて誤りとなったデータも保存しておき、後に送信側装置より再送されてくるデータと物理層のレベルにて信号合成を行い、データの誤りを低減するという処理が行われている（例えば特許文献１）。
【先行技術文献】
【特許文献】
【０００３】
【特許文献１】特開２００８−７２６６２号公報
【発明の概要】
【発明が解決しようとする課題】
【０００４】
従来のパケット合成型の再送制御処理においては、受信装置側の受信データの誤りの有無を判断した結果は、“誤りなし（ＡＣＫ）”または“誤りあり（ＮＡＣＫ）”の２値(例えば、ＡＣＫの場合には“１”で、ＮＡＣＫの場合には“０”)にて受信側装置から送信側装置に情報が伝送される。このとき、パケット合成型の再送制御が行われている場合には、受信側装置にて初回に受信したデータの復調を成功するために僅かな電力が足りなかったのか、それとも、大きな電力が足りなかったのかによって、送信側装置にて再送データの送信制御方式(例えば、送信電力や変調方式等々)を変更し最適にすることが望ましい。
【０００５】
例えば、送信側装置から１回目のパケット（以下、「初送データ」という。）を送信し、初送データを受信する受信側装置で受信エラーが発生したので、送信側装置は１回目と同等のパケット（以下、「再送データ」という。）を再送し、次に受信側装置では初送データと再送データを合成し、パケットデータ受信に成功する場合のことを考える。
【０００６】
このとき、図８に示す初送データ、再送データおよび受信回線品質（ＳＩＮＲ）のような関係があると、送信側装置が最初に送信する初送データに関しては、受信側装置の復調後のデータが僅かに所要回線品質に満たないため受信処理は失敗する。送信側装置は受信側装置にて受信処理が失敗した際には同等のデータを、初送データと同一の送信電力で再送する。そして送信装置から送信されたデータは初送時と同様の伝搬路を通って受信装置に伝送されるため、受信側での受信回線品質(ＳＩＮＲ)は１回目と同様の値となり、受信側装置にて初送データと再送データとをパケット合成した受信回線品質は所要回線品質を大きく超過することとなる。
【０００７】
そのため、ある通信が所要回線品質を大きく上回る品質(必要以上の送信電力)にて通信を行っている場合には、他の装置に対して干渉を大きく与えることとなり、セクタスループットの低下、平均遅延時間の増加、システム容量の減少等、システム効率を劣化させる要因となり得る。
【０００８】
また、一般的に送信側装置の消費電力を抑えることが望ましく、特に送信側装置が携帯電話端末等の移動局である場合においては、バッテリー容量の観点から、送信電力は必要最低限に抑えることが望ましい。
【０００９】
従って、上記のような問題点に鑑みてなされた本発明の目的は、再送要求情報を動的に制御し、システム効率を向上させることができる通信装置、通信システム、及び通信制御方法を提供することにある。
【課題を解決するための手段】
【００１２】
また本発明に係る通信システムは、
第１通信装置と、第２通信装置とを備える通信システムであって、
前記第１通信装置は、
前記第２通信装置にデータを送信し、かつ、前記第２通信装置から該データの再送要求情報を受信する第１送受信部と、
前記第１送受信部が前記再送要求情報を受信した場合に、該再送要求情報に基づいて前記第２通信装置に送信する再送データを制御する第１制御部と、
を備え、
前記第２通信装置は、
前記第１通信装置から前記データを受信し、該データの再送を要求する再送要求情報を送信する第２送受信部と、
前記第２送受信部が受信した前記データの誤りを検出し、誤りがある場合には、前記再送要求情報を生成する第２制御部と、
を備え、
前記第２制御部は、前記再送要求情報を生成する際に、過去受信したデータ及び誤りを検出した前記データに関する情報に基づく分散値を算出し、該分散値に基づいて前記再送要求情報のビット長を制御すると共に、過去受信したデータの受信回線品質から得られた情報及びデータの誤りが検出されたときの受信回線品質を再送要求情報に含め、
前記第１通信装置の前記第１制御部は、前記再送要求情報を受信した際に、前記データを再送する際の送信電力として前記再送要求情報の受信回線品質値に応じて規定の送信電力よりも低い送信電力を決定することを特徴とする。
【００１３】
また本発明に係る通信システムは、
前記第１制御部は、前記再送要求情報の受信回線品質値が所定の閾値を超過しかつ当該受信回線品質が高いほど、送信電力値を小さくするように制御することを特徴とする。
【発明の効果】
【００１６】
本発明における通信装置、通信システム、及び通信制御方法によれば、再送要求情報を動的に制御し、システム効率を向上させることができる。
【図面の簡単な説明】
【００１７】
【図１】実施の形態１の通信システムのブロック図である。
【図２】実施の形態１の通信システムの動作を示すフローチャートである。
【図３】実施の形態１の通信システムにおける受信回線品質値の分散値及び再送要求情報のビット数の関係を表すテーブルである。
【図４】実施の形態１の通信システムにおける受信回線品質値及び送信電力値の関係を表すテーブルである。
【図５】実施の形態１の通信システムにおける再送時の送信電力の概念図である。
【図６】実施の形態２の通信システムのブロック図である。
【図７】実施の形態２の通信システムの動作を示すフローチャートである。
【図８】従来例における再送時の送信電力の概念図である。
【発明を実施するための形態】
【００１８】
以下、本発明の実施の形態について説明する。
【００１９】
（実施の形態１）
図１は本発明の実施の形態１に係る通信システムのブロック図である。本発明の実施の形態１に係る通信システムは、第１通信装置１と、第２通信装置２とを備える。第１通信装置１は、好ましくは移動局または基地局であり、また第２通信装置２は、好ましくは第１通信装置１が移動局の場合は基地局であり、第１通信装置１が基地局の場合、移動局である。
【００２０】
第１通信装置１は、制御部１１と、送受信部１２と、アンテナ１３とを備える。制御部１１は、送信ベースバンド処理部１１１と、再送制御部１１４と、送信電力制御部１１５と、受信ベースバンド処理部１１６とを備える。送信ベースバンド処理部１１１は、誤り訂正処理部１１２と、送信電力処理部１１３とを備える。送受信部１２は、送信ＲＦ処理部１２１と、受信ＲＦ処理部１２２とを備える。
【００２１】
誤り訂正処理部１１２は、第１通信装置１から第２通信装置２に送信するデータに対して、誤り訂正処理を行う。また誤り訂正処理部１１２は、再送制御部１１４からの要求に応じて、再送要求情報に基づく再送データの誤り訂正処理を行う。そして誤り訂正処理部１１２は、誤り訂正処理を行ったデータ（再送データ）を送信電力処理部１１３に出力する。
【００２２】
送信電力処理部１１３は、誤り訂正処理がされたデータの送信電力制御を行う。また送信電力処理部１１３は、再送データに関し、送信電力制御部１１５が再送要求情報により決定した送信電力により、再送データの送信電力制御を行う。具体的には、送信電力処理部１１３は、送信電力制御部１１５が決定した送信電力を送信ＲＦ処理部１２１に通知する。
【００２３】
再送制御部１１４は、受信ベースバンド処理部１１６において再送要求情報がベースバンド信号に変換された場合、誤り訂正処理部１１２に、再送要求情報に基づく再送データの要求をする。
【００２４】
送信電力制御部１１５は、ベースバンド信号に変換された再送要求情報に基づき、送信電力を決定する。そして送信電力制御部１１５は、決定した送信電力を送信電力処理部１１３に通知する。
【００２５】
受信ベースバンド処理部１１６は、送受信部１２が受信した再送要求情報をベースバンド信号に変換するほか、送受信部１２が受信した各種データをベースバンド信号に変換する。受信ベースバンド処理部１１６は、ベースバンド信号に変換した再送要求情報を、再送制御部１１４及び送信電力制御部１１５に出力する。
【００２６】
送信ＲＦ処理部１２１は、送信するデータをＲＦ信号に変換する。そして送受信部１２は、アンテナ１３を介して該変換したデータを、送信電力処理部１１３から通知された送信電力に基づき、第２通信装置２に送信する。また送信ＲＦ処理部１２１は、再送データをＲＦ信号に変換する。送受信部１２は、アンテナ１３を介して該変換した再送データを第２通信装置２に送信する。
【００２７】
受信ＲＦ処理部１２２は、ＲＦ信号に変換された再送要求情報を復号する。そして受信ＲＦ処理部１２２は、復号した再送要求情報を、受信ベースバンド処理部１１６に出力する。当該再送要求情報は、送受信部１２がアンテナ１３を介して第２通信装置２から受信する。
【００２８】
第２通信装置２は、アンテナ２１と、送受信部２２と、制御部２３とを備える。送受信部２２は、受信ＲＦ処理部２２１と、送信ＲＦ処理部２２２とを備える。制御部２３は、受信ベースバンド処理部２３１と、受信回線品質値算出部２３２と、受信回線品質値分散算出部２３３と、誤り判定部２３４と、再送要求情報生成部２３５と、送信ベースバンド処理部２３６とを備える。
【００２９】
受信ＲＦ処理部２２１は、ＲＦ信号に変換されたデータを復号する。当該データは、送受信部２２が、アンテナ２１を介して第１通信装置１から受信する。そして受信ＲＦ処理部２２１は、復号したデータを、受信ベースバンド処理部２３１に出力する。
【００３０】
送信ＲＦ処理部２２２は、送信ベースバンド処理部２３６から渡された再送要求情報をＲＦ信号に変換する。そして送受信部２２は、ＲＦ信号に変換された再送要求情報を、アンテナ２１を介して第１通信装置１に送信する。
【００３１】
受信ベースバンド処理部２３１は、受信ＲＦ処理部２２１により復号されたデータを、ベースバンド信号に変換する。そして受信ベースバンド処理部２３１は、変換したベースバンド信号を、受信回線品質値算出部２３２及び誤り判定部２３４に出力する。
【００３２】
受信回線品質値算出部２３２は、受信ベースバンド処理部２３１から渡されたベースバンド信号に基づき、第１通信装置１から受信したデータの受信回線品質値を算出する。例えば、受信回線品質値とは、ＳＩＮＲ（Ｓｉｇｎａｌ ｔｏ Ｉｎｔｅｒｆｅｒｅｎｃｅ ａｎｄ Ｎｏｉｓｅ Ｐｏｗｅｒ Ｒａｔｉｏ）や、受信信号強度により表されるものである。また受信回線品質値算出部２３２は、算出した受信回線品質値を、受信回線品質値分散算出部２３３及び再送要求情報生成部２３５に出力する。
【００３３】
受信回線品質値分散算出部２３３は、受信回線品質値算出部２３２から渡された受信回線品質値に基づき、第１通信装置１から受信したデータの受信回線品質値の分散値を算出する。該分散を算出するために、受信回線品質値分散算出部２３３は、受信回線品質値算出部２３２から渡された受信回線品質値に加えて、過去に算出したデータの受信回線品質値を用いる。過去に算出したデータの受信回線品質値は、図示しないメモリ等に格納される。そして受信回線品質値分散算出部２３３は、算出した該分散値を、再送要求情報生成部２３５に出力する。
【００３４】
誤り判定部２３４は、受信ベースバンド処理部２３１から渡されたベースバンド信号に基づき、第１通信装置１から受信したデータの誤りの有無を判定する。そして誤り判定部２３４は、第１通信装置１から受信したデータの誤りの有無を再送要求情報生成部２３５に通知する。
【００３５】
再送要求情報生成部２３５は、誤り判定部２３４により誤りがあると判定されたデータに関し、再送要求情報を生成する。再送要求情報生成部２３５は、受信回線品質値分散算出部２３３から渡された受信回線品質分散値に基づき、再送要求情報のビット値を決定する。また第１通信装置１が再送データを送信する際に送信電力を決定するために、再送要求情報は、受信回線品質値算出部２３２により算出された受信回線品質値を備える。そして再送要求情報生成部２３５は、生成した再送要求情報を、送信ベースバンド処理部２３６に出力する。
【００３６】
送信ベースバンド処理部２３６は、再送要求情報生成部２３５により生成された再送要求情報にベースバンド処理を行い、ベースバンド処理を行ったデータを、送信ＲＦ処理部２２２に出力する。
【００３７】
次に、実施の形態１に係る通信システムについて、図２に示すフローチャートによりその動作を説明する。
【００３８】
はじめに第１通信装置１の誤り訂正処理部１１２は、送信するデータに対して誤り訂正処理を行う（ステップＳ１）。次に、送信電力処理部１１３は、誤り訂正処理がされたデータの送信電力制御を行う（ステップＳ２）。
【００３９】
続いて送信ＲＦ処理部１２１は、送信電力制御がされたデータをＲＦ信号に変換する（ステップＳ３）。そして送受信部１２は、アンテナ１３からＲＦ信号に変換されたデータを第２通信装置２に送信する（ステップＳ４）。
【００４０】
次に第２通信装置２の送受信部２２は、アンテナ２１を介して、第１通信装置１から送信されたデータを受信する（ステップＳ５）。続いて受信ＲＦ処理部２２１は、ＲＦ信号に変換されたデータを復号し、その後、受信ベースバンド処理部２３１は、復号されたデータをベースバンド信号に変換する（ステップＳ６）。
【００４１】
続いて受信回線品質値算出部２３２は、ベースバンド信号に変換したデータの受信回線品質値を算出する。また受信回線品質値分散算出部２３３は、ベースバンド信号に変換したデータの受信回線品質値の分散を算出する（ステップＳ７）。該分散を算出するために、受信回線品質値分散算出部２３３は、過去に算出したデータの受信回線品質値を用いる。
【００４２】
続いて、誤り判定部２３４は、受信したデータの誤りの有無を判定する（ステップＳ８）。誤り判定部２３４が、誤りがあると判定した場合、ステップＳ９に進む。誤りが無いと判定した場合は処理が完了する。
【００４３】
誤り判定部２３４が、誤りがあると判定した場合、再送要求情報生成部２３５は、受信回線品質値及び受信回線品質値の分散に基づき、再送要求情報を生成する（ステップＳ９）。具体的には、再送要求情報生成部２３５は、再送要求情報に受信回線品質値を含める。また再送要求情報生成部２３５は、受信回線品質分散値に基づき、例えば図３に示すテーブルに応じて再送要求情報のビット数を制御（決定）する。
【００４４】
図３のテーブルは、受信回線品質値の分散値及び再送要求情報のビット数を示す。ここで、分散値であるＶａと、ＶｂとＶｃとの大小関係は、Ｖａ＜Ｖｂ＜Ｖｃであり、また、Ａと、Ｂと、Ｃとの大小関係は、Ａ＜Ｂ＜Ｃである。受信回線品質値の分散が大きい場合には、通信を行っている伝搬路の特性変動が大きいことを意味する。そしてこの場合、再送要求情報生成部２３５は、再送要求情報の割当てビット数を多くし、伝搬路特性の変動に対して精度良く追従、特性劣化を最小限に低減することが可能となるように制御を行う。逆に、受信回線品質の分散が小さい場合には、動的に変化させる複数ビットの再送要求情報の割当てビット数を少なくし、制御情報のオーバヘッドを少なくするような制御を行う。なお、再送要求情報の割当てビット数が大きい程、再送要求情報をより精度よく表現でき、かつダイナミックレンジを広く表現することができる。
【００４５】
続いて送信ベースバンド処理部２３６が、該再送要求情報のベースバンド処理を行い、送信ＲＦ処理部２２２が再送要求情報をＲＦ信号に変換する。そして送受信部２２は、アンテナ２１を介して、ＲＦ信号に変換された再送要求情報を第１通信装置１に送信する（ステップＳ１０）。
【００４６】
続いて第１通信装置１の送受信部１２は、アンテナ１３を介して、再送要求情報を受信する（ステップＳ１１）。そして第１通信装置１の受信ＲＦ処理部１２２は、ＲＦ信号に変換された再送要求情報を復号し、受信ベースバンド処理部１１６は、ベースバンド信号に変換する（ステップＳ１２）。
【００４７】
続いて再送制御部１１４は、受信ベースバンド処理部１１６において再送要求情報がベースバンド信号に変換された場合、誤り訂正処理部１１２に、再送要求情報に基づく再送データの要求をする。そして誤り訂正処理部１１２は、再送制御部１１４からの要求に応じて、再送要求情報に基づく再送データの誤り訂正処理を行う（ステップＳ１３）。
【００４８】
また送信電力制御部１１５は、ベースバンド信号に変換された再送要求情報に基づき、例えば図４に示すテーブルに応じて送信電力を決定する。
【００４９】
図４のテーブルは、受信回線品質値及び送信電力値の関係を示す。ここで、受信回線品質値であるｘ１、ｘ２、ｘ３との大小関係は、ｘ１＜ｘ２＜ｘ３である。また、受信回線品質値に関し予め定められた閾値ｘ0を基準にし、ｘ１は、ｘ０未満であり、ｘ２及びｘ３は、ｘ０を超過しているものとする。
【００５０】
そして図４に示すように、受信回線品質値がｘ１、すなわちｘ０未満の場合には、送信電力制御部１１５は、送信電力を、規定の送信電力値であるＹと決定する。
【００５１】
一方、受信回線品質値が、ｘ２又はｘ３、すなわちｘ０を超過する場合には、送信電力制御部１１５は、送信電力を、規定の送信電力であるＹよりも低い値に決定する。具体的には図４に示すように、受信回線品質値がｘ２場合は、送信電力値を、Ｙ−（ｘ２−ｘ0）に設定する。また受信回線品質値がｘ3場合は、送信電力値を、Ｙ−（ｘ3−ｘ0）に設定する。すなわち、送信電力制御部１１５は、所定の閾値ｘ０を超過しかつ回線線品質値が高いほど、送信電力値を小さくするように制御する。
【００５２】
そして送信電力制御部１１５が、再送要求情報により決定した送信電力により、送信電力処理部１１３は再送データに送信電力制御を行う（ステップＳ１４）。続いて送信ＲＦ処理部１２１は、再送データをＲＦ信号に変換し（ステップＳ１５）、送受信部１２が、アンテナ１３を介して再送データを第２通信装置２に送信する（ステップＳ１６）。そして第２通信装置２の送受信部２２は、再送データを受信し（ステップＳ１７）、処理が終了する。
【００５３】
図５は、本発明による再送時の送信電力の概念図を示す。図５に示すように、初送データが所要回線品質に満たない場合において、再送時の送信電力を、初送データを送信する送信電力より低くして、送信電力を必要最小限に抑えることが可能となる。
【００５４】
このように本発明によれば、第２通信装置２が、第１通信装置１から送信されたデータの受信回線品質値の分散値に応じて再送要求情報のビット数を増減するため、再送要求情報を動的に制御し、セクタスループット増加、平均遅延時間低減、システム容量増加、消費電力低減等、システム効率を向上させることができる。
【００５５】
なお、送信側の装置である第１通信装置１の再送制御方式に於いて、インクリメンタルリダンダンシー方式(再送データ生成時に誤り訂正処理部１１２のパンクチャパターンを初送/再送時で変更する方式)を採用する場合で、かつ、複数回の再送処理がなされている場合には、前記の可変ビット数で表された“受信回線品質値”が低かったデータのパンクチャパターンを優先的に再送時のパンクチャパターンとして使用することにて、誤り率特性を向上させてもよい。
【００５６】
なお、ステップＳ９において、受信回線品質値算出部２３２は、図３に基づき、受信回線品質値の分散が大きい程、再送要求情報の割当てビット数を多くするように制御したが、これとは反対に、受信回線品質値の分散が小さい程、再送要求情報の割当てビット数を多くするように制御してもよい。受信回線品質値の分散が小さく受信回線品質が安定している場合にはデータの誤りがより少ないことから、このように制御することで、データの誤りが少ない環境下においてより多くのビット数で再送要求情報を送信し、割り当てたビットをより有効に活用することができる。
【００５７】
（実施の形態２）
以下に、本発明の実施の形態２について説明をする。図６は本発明の実施の形態２の通信システムの構成を示すブロック図である。実施の形態１と同一の構成については同一の符号を付し、説明は省略する。実施の形態２に係る通信システムは、実施の形態１にかかる構成と比較して、受信回線品質値算出部２３２の代わりに尤度情報算出部２３７を備え、また、受信回線品質値分散算出部２３３の代わりに尤度情報分散算出部２３８を備える点が相違する。
【００５８】
尤度情報算出部２３７は、第１通信装置１から受信したデータの尤度情報を算出する。尤度情報とは、受信したデータの確からしさを表す情報であり、受信ベースバンド処理部２３１において復調される前段階において算出できる情報である。尤度情報分散算出部２３８は、第１通信装置１から受信したデータの尤度情報の分散値を算出する。該分散を算出するために、尤度情報分散算出部２３８は、過去に算出したデータの尤度情報を用いる。過去に算出したデータの尤度情報は、図示しないメモリ等に格納される。
【００５９】
次に、実施の形態２に係る通信システムについて、図７に示すフローチャートによりその動作を説明する。なお実施の形態１と同一の動作については同一の符号を付し、説明は省略する。実施の形態２に係る通信システムの動作は、実施の形態１にかかる通信システムの動作と比較して、ステップＳ７の代わりに、ステップＳ２７において尤度情報及び分散を算出するステップを設けており、また、ステップＳ９の代わりに、ステップＳ２９において尤度情報及び尤度情報の分散に基づき再送要求情報を生成するステップを設けている点が相違する。
【００６０】
ステップＳ２７において、尤度情報算出部２３７は、第１通信装置１から受信したデータの尤度情報を算出する。また、尤度情報分散算出部２３８は、第１通信装置１から受信したデータの尤度情報の分散を算出する。該分散を算出するために、尤度情報分散算出部２３８は、過去に算出したデータの尤度情報を用いる。
【００６１】
ステップＳ２９において、誤り判定部２３４が、誤りがあると判定した場合、再送要求情報生成部２３５は、尤度情報及び尤度情報の分散に基づき、再送要求情報を生成する。具体的には、再送要求情報生成部２３５は、尤度情報の分散に基づき、尤度情報の分散が大きい程、再送要求情報のビット数を増やすように再送要求情報を生成する。
【００６２】
このように実施の形態２にかかる通信システムによれば、受信回線品質値ではなく尤度情報によっても、第２通信装置２が、第１通信装置１から送信されたデータの受信回線品質値の分散値に応じて再送要求情報のビット数を増減するため、再送要求情報を動的に制御し、セクタスループット、遅延時間、システム容量、消費電力低減等のシステム効率を向上させることができる。
【００６３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００６４】
１  第１通信装置
１１  制御部
１１１  送信ベースバンド処理部
１１２  誤り訂正処理部
１１３  送信電力処理部
１１４  再送制御部
１１５  送信電力制御部
１１６  受信ベースバンド処理部
１２  送受信部
１２１  送信ＲＦ処理部
１２２  受信ＲＦ処理部
１３  アンテナ
２  第２通信装置
２１  アンテナ
２２  送受信部
２２１  受信ＲＦ処理部
２２２  送信ＲＦ処理部
２３  制御部
２３１  受信ベースバンド処理部
２３２  受信回線品質値算出部
２３３  受信回線品質値分散算出部
２３４  誤り判定部
２３５  再送要求情報生成部
２３６  送信ベースバンド処理部
２３７  尤度情報算出部
２３８  尤度情報分散算出部
【図１】
0005864184.tif 000002
【図２】
0005864184.tif 000003
【図３】
0005864184.tif 000004
【図４】
0005864184.tif 000005
【図５】
0005864184.tif 000006
【図６】
0005864184.tif 000007
【図７】
0005864184.tif 000008
【図８】
0005864184.tif 000009